(57)【特許請求の範囲】
【請求項１】
デジタルラジオ放送を受信するデジタルラジオ受信器と、
デジタル音響情報をダウンロードする音響情報ダウンロード装置と、を備え、
前記デジタルラジオ受信器は、
デジタル音響情報とともに、前記デジタル音響情報の内容を特定する識別情報である曲情報を含む、前記デジタルラジオ放送を受信するデジタルラジオ受信部と、
前記デジタル音響情報と前記曲情報のうちで、前記曲情報のみを記憶する内部メモリーと、
該デジタルラジオ受信器を操作するための操作部と、
前記曲情報を表示する表示部と、
前記操作部の操作に応じて前記内部メモリーに前記曲情報を記憶する処理を行う制御部と、を具備し、
前記音響情報ダウンロード装置は、
前記デジタルラジオ受信器で受信され前記内部メモリーに記憶された前記曲情報を該デジタルラジオ受信器から転送するために、該デジタルラジオ受信器と分離可能とされる、外部装置を具備し、
前記外部装置によって得られた前記曲情報によって特定される前記デジタル音響情報を、インターネットを介してダウンロードして、再生する、
音響情報再生装置。
【請求項２】
前記デジタルラジオ受信器の前記表示部は、
前記内部メモリーに設定された曲情報が複数個ある場合には、複数個の前記曲情報を同時に表示する、請求項１に記載の音響情報再生装置。
【請求項３】
前記デジタルラジオ受信器の前記表示部は、
前記内部メモリーに設定された曲情報が複数個ある場合には、複数個の前記曲情報の各々を順次表示する、請求項１に記載の音響情報再生装置。
【請求項４】
前記音響情報ダウンロード装置は、パーソナルコンピュータとモニターとを備える、請求項１に記載の音響情報再生装置。
【請求項５】
前記音響情報ダウンロード装置の前記外部装置と前記デジタルラジオ受信器とは、外部装置接続コネクタを介して接続することによって分離可能とされる、請求項１に記載の音響情報再生装置。
【請求項６】
前記音響情報ダウンロード装置の前記外部装置と前記デジタルラジオ受信器とは、電波を介して接続する無線ランを備えることによって分離可能とされる、請求項１に記載の音響情報再生装置。
【請求項７】
音響情報再生装置における、音響情報の再生方法であって、
前記音響情報再生装置は、デジタルラジオ受信器と音響情報ダウンロード装置とを備えて形成され、
デジタルラジオ受信部と内部メモリーと操作部と表示部と制御部とを具備して形成される前記デジタルラジオ受信器は、デジタルラジオ放送を受信し、
前記デジタルラジオ受信器と分離可能とされる外部装置を具備して形成される前記音響情報ダウンロード装置は、デジタル音響情報をダウンロードできるようにされ、
前記デジタルラジオ受信部は、デジタル音響情報とともに、前記デジタル音響情報の内容を特定する識別情報である曲情報を含む、前記デジタルラジオ放送を受信し、
前記内部メモリーは、前記デジタル音響情報と前記曲情報のうちで、前記曲情報のみを記憶し、
前記操作部は、該デジタルラジオ受信器を操作し、
前記表示部は、前記曲情報を表示し、
前記制御部は、前記操作部の操作に応じて前記内部メモリーに前記曲情報を記憶させ、
前記外部装置は、前記デジタルラジオ受信器で受信され前記内部メモリーに記憶された前記曲情報を前記デジタルラジオ受信器から転送し、
前記音響情報ダウンロード装置は、前記外部装置によって得られた前記曲情報によって特定される前記デジタル音響情報を、インターネットを介してダウンロードし、再生する、
音響情報の再生方法。
【請求項８】
前記音響情報ダウンロード装置は、
前記インターネットを介して前記デジタル音響情報を提供するサーバーに接続して、前記曲情報によって特定される前記デジタル音響情報の提供を申しこみ、
前記サーバーから送り返される著作権に基づく課金の情報を受信する、請求項７に記載の音響情報の再生方法。
【発明の詳細な説明】
【技術分野】
【０００１】
本発明は、音響情報再生装置および音響情報の再生方法に関する。
【背景技術】
【０００２】
近年、デジタルラジオ放送（HD-RADIO）が米国で開始された。このようなデジタルラジオ放送では、例えば衛星を使用して、数１０から１００チャンネル以上の番組が同時に放送される。デジタルラジオ放送を受信するデジタルラジオ受信器では、従来のラジオ放送と同様に、ユーザーが所望するチャンネル選局してこれを利用することができる。また、衛星デジタルラジオ放送では、音楽データ等の情報とともに番組付加情報が送られる。番組付加情報には、当該番組のチャンネル番号及びチャンネル名の他に、例えば音楽を放送中のときは曲名、アーティスト名、タイトル（曲名）、カテゴリー、経過時間（曲の始めからの経過時間）などの情報が含まれている（例えば、特許文献１を参照）。
【０００３】
また、このようなデジタルラジオ放送を受信するデジタルラジオ受信器とハードディスクドライブ(HDD)とを一体として、受信に加えて音楽データ等の受信情報を記録するデジタルラジオ受信装置も提案されている（例えば、特許文献２を参照）。
【特許文献１】特許第４０１４９６８号公報
【特許文献２】特開２００７−１１０２４４号公報
【発明の開示】
【発明が解決しようとする課題】
【０００４】
このようなハードディスクドライブを備えたデジタルラジオ受信装置では、音楽データ等を受信するとともにこれを記録できるという利便性があるが、装置の小型化を図る場合には、記録できる情報の量に制約があり、また、自由に情報を記録できるとすると著作権を害する場合もあった。
【０００５】
本発明は、係る課題を解決して、小型化されたデジタルラジオ受信器を提供する。また、所望の音楽情報等の取得を可能とし、必要な場合には、著作権にも配慮した音響情報の再生方法を提供する。
【課題を解決するための手段】
【０００６】
本発明のデジタルラジオ受信器は、デジタル音響情報とともに放送され、前記デジタル音響情報の内容を特定する識別情報である曲情報を受信するデジタルラジオ受信器であって、前記曲情報を記憶する内部メモリーと、前記内部メモリーに前記曲情報の記憶を行う契機を設定する操作部と、前記曲情報を表示する表示部と、前記操作部の操作に応じて前記内部メモリーに前記曲情報を記憶する処理を行う制御部と、を備えるものである。
【０００７】
また、本発明の音響情報の再生方法は、デジタル音響情報とともに放送される前記デジタル音響情報の内容を特定する識別情報である曲情報を受信して、前記デジタル音響情報を再生する音響情報の再生方法であって、前記放送をデジタルラジオ受信器によって受信して前記曲情報をデコードし、前記デジタルラジオ受信器のユーザーが定める契機で前記曲情報を前記デジタルラジオ受信器の内部メモリーに格納し、前記内部メモリーに格納された前記曲情報を外部装置に移動して前記外部装置に記憶し、前記外部装置に記憶された前記曲情報を音響情報ダウンロード装置に移動し、前記音響情報ダウンロード装置は、前記曲情報に基づいてインターネット回線を介して前記デジタル音響情報の提供者のサーバーと通信して前記サーバーから前記曲情報によって特定されるデジタル音響情報をダウンロードし、前記ダウンロードされたデジタル音響情報を再生するものである。
【発明の効果】
【０００８】
本発明のデジタルラジオ受信器によれば、装置を小型化するとともに、所望の曲情報の取得を可能とするデジタルラジオ受信器を提供できる。また、本発明の音響情報の再生方法によれば、曲情報取得後において、この曲情報に基づいた音響情報の取得が可能とされる音響情報の再生方法を提供することができる。
【発明を実施するための最良の形態】
【０００９】
実施形態のデジタルラジオ受信器は、デジタル音響情報とともに放送され、このデジタル音響情報の内容を特定する識別情報として機能する曲情報を受信するデジタルラジオ受信器である。このデジタルラジオ受信器は、曲情報を記憶する内部メモリーと、このデジタルラジオ受信器の動作状態の設定を行うとともに、内部メモリーに曲情報の記憶を行う契機を設定する操作部と、曲情報を表示する表示部と、操作部の操作に応じて内部メモリーに曲情報を記憶する処理を行う制御部と、を備えている。
【００１０】
ここで、曲情報とは音響情報の内容を特定するために、音響情報に付加されて放送されるデジタル情報であり、曲情報のみでそれに対応する音響情報が特定されるものである。また、操作部が設定するデジタルラジオ受信器の動作状態とは、例えば、受信周波数、音量、表示部に表示する内容、デコーディングの方法等の多岐に渡るものである。また、操作部は内部メモリーに曲情報の記憶を行う契機を設定するが、この契機の設定は、例えば、操作部に設けられている釦によって行うことができる。また、表示部はユーザーが視覚（眼）によって視認ができるように、例えば、液晶表示器、有機ＥＬ表示器等を有して形成されている。内部メモリーは、曲情報、または、曲情報およびマイコンを有する場合の制御部が必要とするソフトウエアを格納するに十分な容量を最小限有しており、不揮発性メモリーで形成しても良く、内部メモリーに曲情報のみを記憶する場合には、電池でバックアップされた揮発性メモリーで形成しても良い。また、制御部は専用のデジタルハードウエアで構成しても良く、マイコン（ＣＰＵ）、さらには、マイコンを動作させるためのソフトウエアを記憶させるメモリーを同一チップ内に配した１チップマイコンとして形成しても良い。
【００１１】
実施形態のデジタルラジオ受信器は、このような構成を有することによって、内部メモリーには比較的記憶容量が小さい曲情報のみを記憶するようにして、デジタルラジオ受信器の小型化を図ったものである。また、デジタルラジオ受信器には、ヘッドフォンを設けて、現在放送中の音響情報、例えば、音楽情報等をリアルタイムで聴取することもできる。この場合においても、デジタルラジオ受信器には音響情報そのものを記憶するようになされないので、ユーザーはリアルタイムで聴取する以外には音響情報を利用できず、これによってその音響情報に係る著作権を保護することができる。
【００１２】
また、実施形態の音響情報の再生方法は、デジタル音響情報とともに放送されるデジタル音響情報の内容を特定する識別情報である曲情報を受信して、デジタル音響情報を再生する音響情報の再生方法であって、放送をデジタルラジオ受信器によって受信して曲情報をデコードし、デジタルラジオ受信器のユーザーが定める契機で曲情報をデジタルラジオ受信器の内部メモリーに格納し、内部メモリーに格納された曲情報を音響情報ダウンロード装置に移動し、音響情報ダウンロード装置は、曲情報に基づいてインターネット回線を介してデジタル音響情報の提供者のサーバーと通信してサーバーから曲情報によって特定されるデジタル音響情報をダウンロードし、ダウンロードされたデジタル音響情報を再生するものである。
【００１３】
ここで、音響情報ダウンロード装置の形態としては、一般のパーソナルコンピューターを音響情報ダウンロード装置として使用するものであっても良く、また、専用のインターネット端末として音響情報ダウンロード装置を形成するものであっても良い。また、内部メモリーから音響情報ダウンロード装置に曲情報を移動するに際しては、直接に移動するようにしても良いが、外部装置を介在させて移動させるようにしても良い。外部装置は、内部メモリーに格納された曲情報を音響情報ダウンロード装置に移動させる媒体として機能するものであり、不揮発メモリー等の記憶媒体を有するものである。また、デジタルラジオ受信器から音響情報ダウンロード装置への曲情報の移動に際する情報通信の方法としては、相互に有線接続して、通信終了後に分離するものとしても良く、無線ラン等を用いて相互で情報を通信するものであっても良い。さらに、デジタルラジオ受信器から外部装置、外部装置から音響情報ダウンロード装置への曲情報の移動に際する情報通信の方法としては、相互に有線接続して、通信終了後に分離するものとしても良く、無線ラン等を用いて相互で情報を通信するものであっても良い。
【００１４】
このような手順で、音響情報の再生がなされるので、曲情報のみを音響情報ダウンロード装置に取得させれば、容易に、この曲情報が特定する音響情報を音響情報ダウンロード装置にダウンロードすることができる。また、この曲情報が特定する音響情報を、音響情報ダウンロード装置を介して上述した外部装置の機能とデジタルラジオ受信器の機能とを一体構造として携帯可能とするデジタルラジオ受信器に直接にダウンロードすることもできる。ここで、音響情報の提供者は、ダウンロードを許可するに際して課金をすることができるので、著作権の保護を図りながらユーザーに音楽等の音響情報を提供することができる。
【００１５】
以下において図面を参照して、実施形態のデジタルラジオ受信器および実施形態の音響情報の再生方法について詳細に説明をする。
【００１６】
図１は実施形態のデジタルラジオ受信器のブロック図である。デジタルラジオ受信器１０は、デジタルラジオ受信部１１、操作部１２、表示部１３、制御部として機能するマイコン１４、内部メモリー１５、外部装置接続コネクタ１６、Ｄ／Ａ変換部１７を備えている。
【００１７】
デジタルラジオ受信部１１は、デジタルラジオ受信部１１に接続されたアンテナ２１を介して電波を取り込み、例えば、アメリカで放送開始されているHD-RADIO等のデジタルラジオ放送を受信する。デジタルラジオ受信部１１は、音響情報、例えば、音声信号だけではなく、音響情報に関する情報を含むデータの受信も可能である。音響情報に関する情報としては、例えば、放送されている音楽の曲名、アーティスト名、アルバム名、曲毎に一意に決められたID、提供者のインターネット接続情報等であり、これらも受信できるようになされている。これらの音響情報に関する情報は曲情報（曲データ）とも称され、音響情報を特定する情報である。さらには、曲情報に加えて、放送局の局名、放送周波数、番組名等の放送に係わる情報が放送される場合もあり、このような情報は放送を特定する情報であるので放送情報と称される。また、曲情報と放送情報とを合わせて関連情報と称される。
【００１８】
デジタルラジオ受信部１１は、アンテナで受信した電波のうちで必要な電波のみを適切なレベルとするフロントエンド、フロントエンドからの信号（例えばＯＤＦＭ信号）を復調する復調部、復調部からの信号をデコードするデコード部を有している。デコード部では圧縮された音響情報をデコードするのみならず、付加情報（曲情報、番組情報等）もデコードし、マイコン１４へ出力する。このマイコン１４との通信ラインは、マイコン１４からデジタルラジオ受信部１１をコントロールする信号も通信されるようになされることが多い。
【００１９】
操作部１２は、デジタルラジオ受信器１０を操作する部分であり、マン・マシーン・インターフェイスとして機能する。例えば、受信するラジオ受信局を変更したり、音量を操作したりできる。放送されている音楽が気にいった場合に操作部に配置された記録釦を押すことにより、曲情報を内部メモリーに蓄える事ができるようになされている。
【００２０】
表示部１３は、デジタルラジオ受信器１０の状態や受信したデータ等の表示を行う表示装置であり、例えば、液晶ディスプレイとして形成されている。この液晶ディスプレイには、曲情報（例えば、音楽の曲名、アーティスト名、アルバム名、曲毎に一意に決められたID、提供者のインターネット接続情報等）、放送情報（例えば、放送局の局名、放送周波数、番組名）、両者を含む関連情報の一部または全部を表示することができるのみならず、デジタルラジオ受信器１０の状態、例えば、音量設定、音質設定、等を表示することができる。
【００２１】
マイコン１４は、デジタルラジオ受信器１０を制御するコントロール部として機能して、操作部１２からの信号を受け付け、内部メモリー１５を制御し、表示部１３に表示し、外部装置接続コネクタ１６にデータを送る。また、デジタルラジオ受信部１１でデコードされた付加情報もマイコン１４で受けて処理される。
【００２２】
内部メモリー１５は受信されている曲の関連情報を記憶するのに用いる。また、マイコンの補助記憶装置としても機能し、デジタルラジオ受信器１０を動作させるに必要なプログラムも格納されている。また補助記憶装置としての機能をマイコンに内蔵して、両者を合わせて１チップマイコンとして形成されている場合もある。
【００２３】
外部装置接続コネクタ１６は、情報の移動の際に、外部装置３０をデジタルラジオ受信器１０に接続するためのコネクタである。外部装置３０としては、種々の、形態が考えられ、少なくとも曲情報を記録することができるようになされている。外部装置３０については、より詳しく後述する。
【００２４】
Ｄ／Ａ変換部１７は、デジタルラジオ受信部１１でデコードされたデジタルの音響情報をアナログの音響情報に変換してヘッドフォン２２に供給するためのものである。なお、実施形態のデジタルラジオ受信器１０では、音響情報をユーザーが耳で聞きながら、必要な関連情報を内部メモリー１５に格納するためにＤ／Ａ変換部１７とヘッドフォン２２とは設けられているのであるから、音響情報をユーザーが耳で聞くことなく、必要な関連情報を内部メモリー１５に格納する場合には必要とはされない。Ｄ／Ａ変換部１７とヘッドフォン２２とが設けられている場合にはこの音響情報を頼りに必要な情報を内部メモリー１５に格納することができる。また、Ｄ／Ａ変換部１７とヘッドフォン２２とが設けられていない場合には、表示部１３の液晶ディスプレイに表示された曲情報を頼りに必要な情報を内部メモリー１５に格納することができる。
【００２５】
図２は、時系列として、どの様に音響情報と曲情報とが、電波を媒介として受信されるかを示す図である。音響情報を受信している時間の間に曲情報が挿入されており、音響情報がより長い時間受信されるのが一般的である。また、放送情報が送信される場合には、曲情報に併せて放送情報が送信される。
【００２６】
図３は上述したデジタルラジオ受信器１０がどのように動作するかを示すフローチャートである。このフローチャートは、マイコン１４で行う処理を中心に説明するものである。
【００２７】
電源ＯＮとされた後、
ステップＳＴ１００では、現在放送されている曲（music）に付随した曲情報を受信する。より具体的には、デジタルラジオ受信部１１で受信した後、マイコン１４によって曲情報（例えば、曲名、アーティスト名、曲ID、提供者のインターネット接続情報等）をデコードする。
【００２８】
ステップＳＴ１０１では、曲情報を受信しているときに、操作部１２の記録釦が押されたか否かを判断する。ここで、記録釦とは、このボタンを押すことによって、内部メモリー１５に記録する契機を与える信号をマイコン１４に送るための釦である。
ステップＳＴ１０１での判断結果が肯定（Ｙｅｓ）の場合には、処理はステップＳＴ１０２へ移り、判断結果が否定（Ｎｏ）の場合には、処理は、再び、ステップＳＴ１００へ移る。
【００２９】
ステップＳＴ１０２では、曲情報の表示がなされる。記録釦が押されたことによってユーザーが所望する適切な曲情報が得られたか否かが確認できることとなる。曲情報がどの様に表示されるかについては後述する。曲情報を表示する指令を表示部１３に送った後に、処理はステップＳＴ１０３へ移る。
【００３０】
ステップＳＴ１０３では、外部装置３０が接続されているか否かを判断する。外部装置３０が接続されているか否かの判断は、種々の手法で行うことができ、例えば、外部装置３０に接続を確認するためのコマンドを送出し、それに対する応答が外部装置３０から戻って来るか否かを検出するようにしても良く、例えば、外部装置接続コネクタ１６の近傍にプッシュスイッチを設け、そのプッシュスイッチが外部装置３０によって押されることによって、外部装置３０が接続されていることを確認することもできる。
ステップＳＴ１０３での判断結果が肯定（Ｙｅｓ）の場合には、処理はステップＳＴ１０５へ移り、判断結果が否定（Ｎｏ）の場合には、処理は、ステップＳＴ１０４へ移る。
【００３１】
ステップＳＴ１０４では、内部メモリー１５に曲情報を格納する。
外部装置が接続されている場合は、直接外部装置に送る事が出来るが、接続されていない場合は転送できないので、内部メモリー１５に外部装置３０が接続されるまで、記憶させておく必要があるからである。
ステップＳＴ１０４での処理が終了後に再び処理はステップＳＴ１００へ戻る。
【００３２】
一方、ステップＳＴ１０５では、曲情報を外部装置３０に転送する。
外部装置３０が接続されている場合は、直接に外部装置３０に曲情報を送る事が出来るために、内部メモリー１５に記憶させておく必要がないからである。
しかしながら、外部装置３０が接続されている場合にも内部メモリー１５に記録釦が押された時点での曲情報をすべて格納するようにすることも任意に選択できる。
ステップＳＴ１０５での処理が終了後に再び処理はステップＳＴ１００へ戻る。
【００３３】
次に、図４、図５を参照して、表示部１３においてどの様に曲情報の表示がされるかについて説明をする。
【００３４】
外部装置３０が接続されている場合には、次に、記録釦が押されるまで、前に記録釦が押された時点の曲情報を表示しておくようにして（１行表示）、外部装置３０に正しく曲情報転送されたことを確認できる。必要に応じて、マイコン１４は外部装置３０と情報のやり取り（ベリファイ動作）をして、記録釦が正しく押され適正な曲情報が得られたのみでなく、正しく転送が行われたことを確認する特別の表示、例えば、表示の色を変えて表示する等をすることができる。
【００３５】
また、外部装置３０が接続されていない場合には、次に、記録釦が押されるまで、前に記録釦が押された時点の曲情報を表示しておくようにして（１行表示）、内部メモリー１５に正しく曲情報転送されたことを確認できる。ここで、ヘッドフォン２２で音楽等の音響情報を聴くことなく、所望の曲情報を得たい場合には、記録釦を押した後、所定時間だけ得られた曲情報を表示して、その後は、現在受信している曲情報を順次表示して、記録釦を押すための契機となる曲情報を表示し続けることができる。
【００３６】
図４は、表示部１３に設けられた液晶の画面に表れる１行表示の例を示すものである。図４では、左側から順に記録日時（12/AUG/07が該当）、曲名（AAAAAAAAが該当）、アーティスト名（BBBBBBBが該当）の曲情報の各々を示すものである。
【００３７】
一方、外部装置３０が接続される前に、複数回、記録釦が押された場合には、それまで記録釦の押された回数に応じた複数の曲情報が内部メモリー１５には記録されていることになるが、これらの曲情報を、記録釦が押される毎に更新して、リスト形式で表示（ＬＩＳＴ表示、リスト表示）する。
【００３８】
図５は、表示部１３に設けられた液晶の画面に表れるリスト表示の例を示すものである。図５では、左側から順に一の曲情報である、記録日時（12/AUG/07が該当）、曲名（AAAAAAAAが該当）、アーティスト名（BBBBBBBが該当）の曲情報の各々を示し、縦方向の２行目に別の曲情報である、記録日時（10/AUG/07が該当）、曲名（CCCCCCCCが該当）、アーティスト名（DDDDDDDが該当）の曲情報の各々を示し、同様にして３行目に、記録日時（20/JUL/07が該当）、曲名（EEEEEEEEが該当）、アーティスト名（FFFFFFFが該当）の曲情報の各々を示し、同様にして４行目に、記録日時（15/JUL/07が該当）、曲名（GGGGGGGGが該当）、アーティスト名（HHHHHHHが該当）の曲情報の各々を示し、同様にして５行目に、記録日時（15/JUL/07が該当）、曲名（IIIIIIIIが該当）、アーティスト名（JJJJJJJが該当）の曲情報の各々を示すものである。
【００３９】
予め操作部１２から、このようなリスト表示をするようにマイコン１４に設定しておけば、上述したステップＳＴ１０２において自動的にこのような表示がなされる。また、予め操作部１２から別の表示の態様を設定することもできる。別の設定としては、内部メモリー１５に複数の曲情報が有る場合にも表示は１行表示として、1行ずつ順に他のデータを順送りで見られるようにするものである。
【００４０】
上述した１行表示、リスト表示のいずれを採用する場合においても、表示される曲情報をユーザーは視認することによって、ユーザーが記憶させようとした曲に対応する曲情報が、本当に正しい曲情報であるか否かを確認でき、また、内部メモリー１５に正しく保存出来ているか否かの確認が可能となる。さらに、外部装置３０に正しく記録されているか否かを確認することもできる。
【００４１】
また、内部メモリー１５の記憶容量に制限がある場合には、あと何曲分の曲情報が内部メモリー１５に記憶できるかの確認が可能となる。この記憶容量の残量を求める処理はマイコン１４において行うことができる。さらに、外部装置３０が接続されている場合において、予め、外部装置３０に記憶可能な曲情報の数が分かっている場合には、あと何曲分の曲情報が外部装置３０に記憶できるかの確認が、外部装置３０とマイコン１４とが通信することによって可能となる。
【００４２】
そして、最終的には、内部メモリー１５に記憶された曲情報は外部装置３０に移動されて、外部装置３０には記録釦が押された時点に放送されていた音響情報対応した曲情報がすべて記憶されることとなる。
【００４３】
外部装置３０について説明をする。外部装置３０としては、種々の態様が考えられる。外部装置３０は可搬性を考慮して、単に、曲情報のみを記憶する機能（メモリー機能）のみを有する曲情報記録のための不揮発性記憶装置として小型化を図ることができる。
【００４４】
図６は、実施形態の音響情報の再生方法、すなわち、デジタルラジオ受信器１０で取得した曲情報をどのようにして用いるかについて説明をするための図である。図６に記載された外部装置３０とパーソナルコンピューター（ＰＣ）４０とＰＣモニター５０と外部装置３０（図１にも記載されている）とで音響情報ダウンロード装置を構成している。図６を参照して、外部装置３０に記憶された曲情報をどのように使用するかについて、説明をする。
【００４５】
パーソナルコンピューター４０はインターネットと接続されている。また、パーソナルコンピューター４０は、液晶等で形成されたＰＣモニター５０が接続されている。また、パーソナルコンピューター４０は、外部装置インターフェイスを介して外部装置３０の着脱が可能とされている。なお、パーソナルコンピューター４０とＰＣモニター５０とは一体として構成される音響情報ダウンロード装置であっても良い。
【００４６】
パーソナルコンピューター４０の外部装置インターフェイスに外部装置３０が挿入されると、パーソナルコンピューター４０は、挿入されたことを検出して音響情報ダウンロードのプログラムを立ち上げ、または、手動操作によって音響情報ダウンロードのプログラムを立ち上げ、所定の手続きに従って、曲情報によって特定されるデジタル音響情報をパーソナルコンピューター４０にダウンロードする。このデジタル音響情報は原則的には放送され、デジタルラジオ受信器１０によって曲情報が取得されたデジタル音響情報と同じものである。また、外部装置が携帯情報記録再生端末装置として構成されている場合には携帯情報記録再生端末装置が、パーソナルコンピューター４０を介して音響情報をダウンロードする。
【００４７】
ダウンロードは具体的には、例えば、以下の手順で行なわれる。外部装置３０に記憶された曲情報の一覧が、ＰＣモニター５０に表示される。ユーザーはこの曲情報の中で、自己がダウンロードしたい音響情報に該当する曲情報だけにチェックマークを入れる等してダウンロードする対象を明示する。その後、インターネットを介してこれらの情報を該当する音響情報提供者のサーバーに送信することを許可する表示（ソフトスイッチ）をクリックする。
【００４８】
パーソナルコンピューター４０は曲情報または関連情報に含まれるインターネット接続先のアドレスを頼りに所定の接続先、すなわち、音響情報提供者と接続して。該当する音響情報のダウンロードの申し込みをする。これに対して、音響情報提供者（音響情報提供者のサーバー）はユーザーに対して、著作権に基づき課金をする場合には、その料金及びその引き落とし方法等をパーソナルコンピューター４０に送り返す。また、このときに、関連情報にユーザーが受信した放送局の局名、受信の日時を含めるようにしておき、音響情報提供者のサーバーにユーザーが受信した放送局の局名、受信の日時を記憶するようにして、これらの情報を市場調査の目的で音響情報提供者が用いるようにすることもできる。
【００４９】
ユーザーが課金を了承する場合には、その旨を音響情報提供者に通知するためのＰＣモニター５０に表示されたソフトスイッチをクリックして、パーソナルコンピューター４０の記憶装置に音響情報のダウンロードが開始される。また、外部装置が携帯情報記録再生端末装置として構成されている場合には携帯情報記録再生端末装置にパーソナルコンピューター４０を介して、直接に音響情報をダウンロードするようにしても良い。
【００５０】
このようにして、ユーザーは、放送をデジタルラジオ受信器１０によって受信して曲情報をマイコン１４でデコードし、ユーザーの所望の契機で記録釦を押して曲情報を内部メモリー１５に格納し、内部メモリー１５に格納された曲情報を音響情報ダウンロード装置として機能するパーソナルコンピューター（ＰＣ）４０に移動し、パーソナルコンピューター４０は、曲情報に含まれるデジタル音響情報の提供者とインターネットで接続するためのインターネット接続情報に基づいてインターネット回線を介してデジタル音響情報の提供者のサーバーと通信してサーバーから曲情報によって特定されるデジタル音響情報をダウンロードすることができる。
【００５１】
また、ユーザーは、パーソナルコンピューター４０にダウンロードした音響情報をパーソナルコンピューター４０に接続されたオーディオ装置によって再生して楽しむことができる。また、パーソナルコンピューター４０から接続される携帯情報記録再生端末装置に音響情報をダウンロードした後に、携帯情報記録再生端末装置によって音響情報を再生して楽しむことができる。また、パーソナルコンピューター４０を介して、直接に音響情報を携帯情報記録再生端末装置にダウンロードするようにした場合には、その携帯情報記録再生端末装置をパーソナルコンピューター４０から切り離して、携帯しながら、再生して楽しむことができる。
【００５２】
図７は、実施形態の変形例のデジタルラジオ受信器１０１のブロック図を示すものである。デジタルラジオ受信器１０１は上述したデジタルラジオ受信器１０の有する各部に加えて、さらに、無線ラン（ＬＡＮ）１８を備えるものである。また、このようなデジタルラジオ受信器１０１に対応して、外部装置３０１にも同様に無線ラン３１が備えられている。このような構成を有することによって、外部装置接続コネクタ１６を有さない構成を採用しても、デジタルラジオ受信器１０１は外部装置３０１と通信をすることが可能となる。
【００５３】
デジタルラジオ受信器１０１の操作部１２の記録釦が押されるごとに、それを認識したマイコン１４は、デジタルラジオ受信部１１から送出される曲情報を検出して、無線ラン１８を介して外部装置３０１の無線ラン３１に対してその曲情報を送出する。
【００５４】
無線ラン３１は、当該音響情報を識別可能とするメタ情報（Token）として機能する曲情報を外部装置３０１の内部の不揮発メモリー（例えば、EEPROM）に記憶する。このようにして、例えば、ヘッドフォン２２で音楽等を聴きながら曲情報を外部装置３０１に順次記録することができる。
【００５５】
ここで、外部装置３０１は、メタ情報の容量が外部装置３０１の内部の不揮発メモリーに記憶できる限度に近づいた場合、あるいは、不揮発メモリーに記憶できる限度を超えた場合には、デジタルラジオ受信器１０１に対して、外部装置３０１をパーソナルコンピューター４０に装着して、外部装置３０１をパーソナルコンピューター４０に接続して、それらの曲情報を移動させ、外部装置３０１の内部の不揮発メモリーの空き容量を増やすように警告をすることができる。この警告は、ヘッドフォン２２に対する音声等を用いた音響信号として聴覚に訴えるようにしても良く、あるいは、表示部１３に対する液晶表示等で視覚に訴えるようにしても良い。
【００５６】
また、デジタルラジオ受信器１０、または、デジタルラジオ受信器１０１のいずれかと、外部装置３０、または、外部装置３０１のいずれかを組み合わせた複合機能を有する製品をデジタルラジオ受信器として構成することもできる。この場合においては、上述したデジタルラジオ受信器１０、または、デジタルラジオ受信器１０１の機能を有するとともに、外部装置３０、または、外部装置３０１の機能を有する製品とすることができ、デジタルラジオ受信器としてラジオ放送を受信するとともに、曲情報、関連情報を蓄え、既に蓄えられた音響情報をデジタルラジオ受信器に設けられたヘッドフォンを介して聴くことができるものである。
【００５７】
また、外部装置３０に替えて外部装置３０１を用い、パーソナルコンピューター４０にも無線ランを供えるようにして、両者間の通信が電波を媒介として行われるようにして、両者の接続の手間を省くようにすることもできる。
【００５８】
また、外部装置は、上述したように、不揮発メモリーを内蔵するとともに、音響情報ダウンロード装置を介して曲情報が指定する音響情報をダウンロードするための音響情報ダウンロードインターフェイス装置、ダウンロードされた音響情報を記憶する音響情報記録装置、さらには、記憶された音響情報をデコードし、Ｄ／Ａ変換し、最終的にはヘッドフォン等で音響信号をユーザーが聞き得るようにする音響情報再生装置を一体として含んだ携帯情報記録再生端末装置としての形態とするようにしても良いものである。
【００５９】
さらに、外部装置は、上述するような携帯情報記録再生端末装置として構成するのみならず、携帯情報記録再生端末装置の有する機能とデジタルラジオ受信器１０の有する機能とをすべて併せ持つ、デジタルラジオ受信器として構成するようにしても良いものである。この場合には、外部装置３０のような媒介物を介することなく、デジタルラジオ受信器から直接に音響情報ダウンロード装置に対して曲情報を移動させることができる。
【図面の簡単な説明】
【００６０】
【図１】実施形態のデジタルラジオ受信器のブロック図である。
【図２】音響情報と曲情報との配列を時系列として示す図である。
【図３】デジタルラジオ受信器の動作のフローチャートである。
【図４】表示部に設けられた液晶の画面に表れる１行表示の例を示す図である。
【図５】表示部に設けられた液晶の画面に表れるリスト表示の例を示す図である。
【図６】実施形態の音響情報の再生方法を説明するための図である。
【図７】別の実施形態のデジタルラジオ受信器のブロック図である。
【符号の説明】
【００６１】
１０、１０１  デジタルラジオ受信器、１１  デジタルラジオ受信部、１２  操作部、１３  表示部、１４  マイコン（制御部）、１５  内部メモリー、１６  外部装置接続コネクタ、１７  変換部、１８  無線ラン、２１  アンテナ、２２  ヘッドフォン、３０、３０１  外部装置、３１  無線ラン、４０  パーソナルコンピューター（音響情報ダウンロード装置）、５０  ＰＣモニター
【図１】
0004502026.tif 000002
【図２】
0004502026.tif 000003
【図３】
0004502026.tif 000004
【図４】
0004502026.tif 000005
【図５】
0004502026.tif 000006
【図６】
0004502026.tif 000007
【図７】
0004502026.tif 000008